(57)【特許請求の範囲】
【請求項１】
ケース上面には電路を開閉する操作ハンドルを有し、前記ケースの一方の面には電源側端子を、対向する面には負荷側端子を設けた回路遮断器において、前記負荷側端子は内部に組み込まれた速結ばねで電線を接続できる速結端子で構成されると共に、平面視同一直線状に配置され、前記負荷側端子の上方から前記速結ばねの前記電線を固定する付勢を解除する引き外し板を設け、該引き外し板は解除レバーの動作に連動して動作し、前記解除レバーは一作業ですべての極の負荷側端子の速結ばねの付勢を解除し固定されている電線を引き抜き可能とすることを特徴とする回路遮断器。
【発明の詳細な説明】
【技術分野】
【０００１】
本発明は、ケース上面には電路を開閉する操作ハンドルを有し、ケースの一方の面には電源側端子を、対向する面には負荷側端子を設けた回路遮断器に関するものである。
【背景技術】
【０００２】
電線の挿脱時には解除レバーを上げて電線の挿入口を開けて作業を行うものがあった。
【０００３】
また、端子内部にはばねが設けられていて、電線を端子に接続する際、ばねに押し込んでばねの付勢により電線が固定される形式のものであった。電線を外す時には、解除レバーの回動動作に連動してばねが押され、電線との間に隙間が空いて電線を外すことができるというものもあった。
【特許文献１】特許第２７４０６３７号公報
【特許文献２】特許第３５０６０５２号公報
【発明の開示】
【発明が解決しようとする課題】
【０００４】
しかしながら上記特許第２７４０６３７号公報に係る回路遮断器では、電線を差し込む時も抜き外す時にもレバーを動作させなくてはならず、回路遮断器の電線接続作業が煩雑なものとなっていた。
【０００５】
また、特許第３５０６０５２号公報に示す回路遮断器では、電線の差し込み作業は電線を挿入口に押し込むだけで容易であるが、電線を外す時には、解除レバーをその極毎に動作させなくてはならず、解除レバーが小さく、外す作業が煩雑であるという欠点があった。
【課題を解決するための手段】
【０００６】
そこで本発明は、簡単な構造で電線の抜き差しを容易に行える回路遮断器の端子構造を提供することを目的とし、その構造は、負荷側端子は内部に組み込まれた速結ばねで電線を接続できる速結端子で構成されると共に、平面視同一直線状に配置され、負荷側端子の上方から速結ばねの電線を固定する付勢を解除する引き外し板を設け、引き外し板は解除レバーの動作に連動して動作し、解除レバーは一作業ですべての極の負荷側端子の速結ばねの付勢を解除し固定されている電線を引き抜き可能とすることを特徴とする。
【発明の効果】
【０００７】
本発明は、負荷側端子は内部に組み込まれた速結ばねで電線を接続できる速結端子で構成されると共に、平面視同一直線状に配置され、負荷側端子の上方から速結ばねの電線を固定する付勢を解除する引き外し板を設け、引き外し板は解除レバーの動作に連動して動作し、解除レバーは一作業ですべての極の負荷側端子の速結ばねの付勢を解除し固定されている電線を引き抜き可能とするため、電線を接続する際、挿入時は差し込むだけで電線は端子に固定され、電線を抜く時は、解除レバーを動作するだけで簡単に抜くことができる。また、解除レバーの動作は全極同時に解除できるので、一作業で複数極の電線を抜くことができる。解除レバーは複数極に対して一つであるので、解除レバーのためのスペースが少なくてすむ。
【発明を実施するための最良の形態】
【０００８】
操作性がよく電線の接続、取り外しを容易に行うという目的を最小の部品点数で、回路遮断器を大きくすることなく実現した。
【実施例１】
【０００９】
本発明に係る回路遮断器の実施例を図の添付図面に基づいて説明する。
【００１０】
本発明に係る回路遮断器１は、ケース２上面に電路を開閉するための操作ハンドル３を有している。単相三線式の電路に使用可能である。ケース２の一方の面には電源側端子４を、他方の面には負荷側端子５を設け、電源側端子４、負荷側端子５とも、それぞれ三つの端子で構成される。図１においては負荷側端子５は斜面上に設けられ、それぞれの端子が視認可能であり、電線６の着脱作業がしやすくなっている。
【００１１】
端子は速結端子であり、端子内部には速結ばね７が組み付けられている。速結ばね７は略Ｓ字状に湾曲し、端子内部で上方へ付勢されている。電線６を挿入する時には、電線６の端部をケース２に設けられた挿入口８へ押し込むと、付勢された速結ばね７と端子内部の上壁とに挟まれて固定される。
【００１２】
端子部には略上方より引き外し板９が差し込まれている。引き外し板９の下端部にはばね１０を取り付け、引き外し板９の動作に合わせて伸縮する。引き外し板９の側面には速結ばね７に対向する位置にリブ１１が設けられていて、引き外し板９を下への移動させることにより、速結ばね７を押さえつける。
【００１３】
ケース２の上面端部に解除レバー１２を回動可能に枢設する。解除レバー１２は上面端部から端子部端部ほどの長さで形成し、解除レバー１２を枢設する軸１３の近傍に引き外し板９を動作させるための係止突起１４を形成する。解除レバー１２が動作していない状態では、解除レバー１２はケース２の上面と水平の位置に保持され、係止突起１４は引き外し板９の端部に掛かっている状態である。引き外し板９のリブ１１は速結ばね７に影響しない位置にあり、端子内部の速結ばね７は付勢の状態であるため、電線６を挿入口８に挿入すると、速結ばね７と端子内部の上壁とに挟まれて固定される。
【００１４】
一方、挿入された電線６を引き抜きたい場合には、解除レバー１２を斜め上方へ回動させることで、解除レバー１２の係止突起１４が引き外し板９を下方へ押し、引き外し板９のリブ１１が速結ばね７を押し付け、電線６の固定を解除するものである。
【００１５】
引き外し板９は端子部の上面から底面まで通っており、解除レバー１２は一度動かすだけで複数極すべてに引き外し板９が作動する。従来のように端子別に作業する必要がない。また、解除レバー１２も一つで良いため、解除レバー１２の回路遮断器１に占めるスペースも小さくすむ。
【００１６】
解除レバー１２は先端を斜めに尖らせて形成する。電線６を抜くために解除レバー１２を上げた状態であっても、分電盤に配列して用いる場合には、分電盤の配線覆いを閉めたときに配線覆いが解除レバーの先端を押し、自動的に解除レバー１２は下げることができる。
【産業上の利用可能性】
【００１７】
速結端子で構成される回路遮断器の端子構造において、電線挿入のときは差し込むだけ、電線の引き抜きは解除レバーを動作させて電線挿入口をあけるだけで、容易に電線と回路遮断器との接続と解除ができ、熟練者でなくても接続作業が容易に行える。
【図面の簡単な説明】
【００１８】
【図１】本発明に係る回路遮断器の構造を示す斜視図である。（実施例１）
【図２】本発明に係る回路遮断器の構造を示す断面図である。（実施例１）
【図３】本発明に係る回路遮断器の電線を引き抜く時の状態を示す断面図である。（実施例１）
【符号の説明】
【００１９】
１    回路遮断器
２    ケース
３    操作ハンドル
４    電源側端子
５    負荷側端子
６    電線
７    速結ばね
８    挿入口
９    引き外し板
１０  ばね
１１  リブ
１２  解除レバー
１３  軸
１４  係止突起
【図１】
0004693163.tif 000002
【図２】
0004693163.tif 000003
【図３】
0004693163.tif 000004